(57)【要約】本発明は、家電機器の技術分野に関し、掃除機用モータ装置及び掃除機を開示し、前記掃除機用モータ装置は、モータユニットと付属ユニットを備え、前記モータユニットは、回転子、固定子及びスピンドルを備え、前記付属ユニットは、第１モータブラケット、第２モータブラケット、ブレード、ブレードブラケット、ＰＣＢＡユニット、第１軸受け及び第２軸受けを備え、前記回転子は、ネオジム−鉄−ホウ素で製造されるネオジム−鉄−ホウ素磁石であり、モータへ大きな出力パワーを付与することができ、モータの回転数が１００,０００回転／分以上に達することを可能にし、前記ブレードの外円周の直径が３５ｍｍ〜４０ｍｍであり、本発明の実施例では、ブレードの寸法が従来の掃除機のブレードのそれよりも大きく、それによって、掃除機の真空吸引力を大きくし、掃除効果をより良好にすることができる。【選択図】図３
2021521760.tif 000002
【特許請求の範囲】
【請求項１】
掃除機用モータ装置であって、
モータユニットと付属ユニットを備え、
前記モータユニットは、回転子（５０４）、固定子（５０１）及びスピンドル（５０３）を備え、
前記付属ユニットは、第１モータブラケット（５）、第２モータブラケット（４）、ブレード（３０１）、ブレードブラケット（３）、ＰＣＢＡユニット（６）、第１軸受け（５０５）及び第２軸受け（５０６）を備え、
前記固定子（５０１）は、４つのＵ字形上巻線ブラケット（５０１Ａ）、４つのＵ字形下巻線ブラケット（５０１Ｃ）、及び４つのモータ電磁鋼板（５０１Ｂ）を備え、前記Ｕ字形上巻線ブラケット（５０１Ａ）のＵ字形ノッチと前記Ｕ字形下巻線ブラケット（５０１Ｃ）のＵ字形ノッチが対向して設けられ、前記モータ電磁鋼板（５０１Ｂ）を前記Ｕ字形上巻線ブラケット（５０１Ａ）とＵ字形下巻線ブラケット（５０１Ｃ）との間に固定し、前記Ｕ字形上巻線ブラケット（５０１Ａ）、Ｕ字形下巻線ブラケット（５０１Ｃ）及びモータ電磁鋼板（５０１Ｂ）はボルトを介して前記第１モータブラケット（５）内に固定され、
前記スピンドル（５０３）は、前記固定子（５０１）を貫通しており、上から下へ前記第１軸受け（５０５）、前記回転子（５０４）、前記第２軸受け（５０６）及びホール磁石（５０７）が順次設けられ、前記回転子（５０４）は、前記スピンドル（５０３）の中央部に設けられ、前記固定子（５０１）により囲まれており、前記第２軸受け（５０６）は第１モータブラケット（５）の下部に固定され、前記ホール磁石（５０７）は前記スピンドル（５０３）の下端に固定され、
前記回転子（５０４）は、ネオジム−鉄−ホウ素で製造されるネオジム−鉄−ホウ素磁石であり、
前記第１モータブラケット（５）の上方にはブレードブラケット（３）が設けられ、前記スピンドル（５０３）の上端が前記ブレードブラケット（３）の中部を貫通しており、ブレード（３０１）を設けられ、前記第１軸受け（５０５）は前記ブレードブラケット（３）の中央よりも下部に固設され、
前記ブレード（３０１）の外円周の直径が３５ｍｍ〜４０ｍｍであり、
前記第１モータブラケット（５）の下部には接続シート（５０２）がさらに設けられ、前記接続シート（５０２）は前記ＰＣＢＡユニット（６）に固定して接続され、
前記ＰＣＢＡユニット（６）には係合部材が設けられ、前記第２モータブラケット（４）内には係合部位が設けられ、前記第２モータブラケット（４）と前記ＰＣＢＡユニット（６）は係合して接続され、前記第２モータブラケット（４）は上から下まで前記第１モータブラケット（５）とＰＣＢＡユニット（６）を覆って、内部に固定する、ことを特徴とする掃除機用モータ装置。
【請求項２】
前記第１軸受け（５０５）と第２軸受け（５０６）の外円周には、第１軸受け減衰リングと第２軸受け減衰リングがそれぞれ設けられる、ことを特徴とする請求項１に記載の掃除機用モータ装置。
【請求項３】
前記ＰＣＢＡユニット（６）は、ＰＣＢＡ（６０１）、ＰＣＢＡブラケット（６０２）、ＰＣＢＡブラケットシールリング（６０３）、ＰＣＢＡ防振ワッシャー（６０４）及びホールスイッチ（６０５）を備え、
前記ＰＣＢＡブラケット（６０２）には係合部材が設けられ、前記ＰＣＢＡブラケット（６０２）の円周外側には環状溝が設けられ、前記ＰＣＢＡブラケットシールリング（６０３）は前記環状溝に嵌設され、前記ＰＣＢＡブラケット（６０２）の下方にはＰＣＢＡ（６０１）が設けられ、前記ＰＣＢＡブラケット（６０２）と前記ＰＣＢＡ（６０１）との間には環状ＰＣＢＡ防振ワッシャー（６０４）が設けられ、前記ホールスイッチ（６０５）は前記ＰＣＢＡ（６０１）に設けられる、ことを特徴とする請求項１に記載の掃除機用モータ装置。
【請求項４】
モータダクト（１）とモータダクトヘッド（２）をさらに備え、
前記第２モータブラケット（４）はネジを介して前記モータダクトヘッド（２）に固定され、
前記モータダクト（１）は、上から下まで前記ブレードブラケット（３）と第２モータブラケット（４）を覆い、ネジを介して前記モータダクトヘッド（２）に固定される、ことを特徴とする請求項１に記載の掃除機用モータ装置。
【請求項５】
前記ブレードブラケット（３）の上部の円周外側には環状溝が設けられ、前記環状溝にはブレードブラケットシールリング（３０２）が嵌設されており、前記ブレードブラケットシールリング（３０２）は前記モータダクト（１）の上部の内壁に当接する、ことを特徴とする請求項４に記載の掃除機用モータ装置。
【請求項６】
前記第２モータブラケット（４）と前記モータダクトヘッド（２）との間には、第２モータブラケットシールリング（４０１）が設けられる、ことを特徴とする請求項４に記載の掃除機用モータ装置。
【請求項７】
前記モータダクト（１）と前記モータダクトヘッド（２）との間には、モータダクトヘッドシールリング（２０１）が設けられる、ことを特徴とする請求項４に記載の掃除機用モータ装置。
【請求項８】
請求項１〜８のいずれか１項に記載の掃除機用モータ装置を備える、ことを特徴とする掃除機。
【発明の詳細な説明】
【技術分野】
【０００１】
本発明の実施例は、家電機器の技術分野に関し、特に掃除機用モータ装置及び掃除機に関する。
【背景技術】
【０００２】
手持ち式真空掃除機は、軽量で、簡便に持ち運ぶことができ、そして電源コードがないため、ユーザーの間で非常に人気があり、手持ち式真空掃除機は、掃除エリアの大きさを問わず、極めて簡便に掃除することができる。従来の手持ち式真空掃除機は、汚れを含んでいる空気から汚れを分離するためのサイクロン分離装置を備えている。掃除機は、通常、掃除機ヘッド又は床側部材に配置された下向きの汚れ空気入口を備え、モータ装置は汚れ空気がこの入口から分離装置に吸い込まれるように真空吸引力を提供し、現在、市販の手持ち式掃除機の分野では、１分あたり１００,０００回転以上のモータ装置はまだなかった。
【発明の概要】
【発明が解決しようとする課題】
【０００３】
以上に基づいて、本発明の実施例の目的は、モータの回転数が１００,０００回転／分以上に達し、そして真空吸引力が大きく、掃除機の掃除効果が良好である掃除機用モータ装置及び掃除機を提供することである。
【課題を解決するための手段】
【０００４】
上記目的を達成させるために、本発明は以下の技術案を採用する。
一態様によれば、本発明の実施例は、モータユニットと付属ユニットを備え、
前記モータユニットは、回転子、固定子及びスピンドルを備え、
前記付属ユニットは、第１モータブラケット、第２モータブラケット、ブレード、ブレードブラケット、ＰＣＢＡユニット、第１軸受け及び第２軸受けを備え、
前記固定子は、４つのＵ字形上巻線ブラケット、４つのＵ字形下巻線ブラケット及び４つのモータ電磁鋼板を備え、前記Ｕ字形上巻線ブラケットのＵ字形ノッチと前記Ｕ字形下巻線ブラケットのＵ字形ノッチが対向して設けられ、前記モータ電磁鋼板を前記Ｕ字形上巻線ブラケットとＵ字形下巻線ブラケットとの間に固定し、前記Ｕ字形上巻線ブラケット、Ｕ字形下巻線ブラケット及びモータ電磁鋼板はボルトを介して前記第１モータブラケット内に固定され、
前記スピンドルは、前記固定子を貫通しており、上から下へ前記第１軸受け、前記回転子、前記第２軸受け及びホール磁石が順次設けられ、前記回転子は前記スピンドルの中央部に設けられ、前記固定子により囲まれており、前記第２軸受けは第１モータブラケットの下部に固定され、前記ホール磁石は前記スピンドルの下端に固定され、
前記回転子は、ネオジム−鉄−ホウ素で製造されるネオジム−鉄−ホウ素磁石であり、
前記第１モータブラケットの上方にはブレードブラケットが設けられ、前記スピンドルの上端が前記ブレードブラケットの中部を貫通しており、ブレードを設けられ、前記第１軸受けは前記ブレードブラケットの中央よりも下部に固設され、
前記ブレードの外円周の直径が３５ｍｍ〜４０ｍｍであり、
前記第１モータブラケットの下部には接続シートがさらに設けられ、前記接続シートは前記ＰＣＢＡユニットに固定して接続され、
前記ＰＣＢＡユニットには係合部材が設けられ、前記第２モータブラケット内には係合部位が設けられ、前記第２モータブラケットと前記ＰＣＢＡユニットは係合して接続され、前記第２モータブラケットは上から下まで前記第１モータブラケットとＰＣＢＡユニットを覆って、内部に固定する掃除機用モータ装置を提供する。
【０００５】
さらに、前記第１軸受けと第２軸受けの外円周には、第１軸受け減衰リングと第２軸受け減衰リングがそれぞれ設けられる。
【０００６】
さらに、前記ＰＣＢＡユニットは、ＰＣＢＡ、ＰＣＢＡブラケット、ＰＣＢＡブラケットシールリング、ＰＣＢＡ防振ワッシャー及びホールスイッチを備え、
前記ＰＣＢＡブラケットには係合部材が設けられ、前記ＰＣＢＡブラケットの円周外側には環状溝が設けられ、前記ＰＣＢＡブラケットシールリングは前記環状溝に嵌設され、前記ＰＣＢＡブラケットの下方にはＰＣＢＡが設けられ、前記ＰＣＢＡブラケットと前記ＰＣＢＡとの間には環状ＰＣＢＡ防振ワッシャーが設けられ、前記ホールスイッチは前記ＰＣＢＡに設けられる。
【０００７】
さらに、前記モータ装置はモータダクトとモータダクトヘッドをさらに備え、
前記第２モータブラケットはネジを介して前記モータダクトヘッドに固定され、
前記モータダクトは、上から下まで前記ブレードブラケットと第２モータブラケットを覆い、ネジを介して前記モータダクトヘッドに固定される。
【０００８】
さらに、前記ブレードブラケットの上部の円周外側には環状溝が設けられ、前記環状溝にはブレードブラケットシールリングが嵌設されており、前記ブレードブラケットシールリングは前記モータダクトの上部の内壁に当接する。
【０００９】
さらに、前記第２モータブラケットと前記モータダクトヘッドとの間には、第２モータブラケットシールリングが設けられる。
【００１０】
さらに、前記モータダクトと前記モータダクトヘッドとの間には、モータダクトヘッドシールリングが設けられる。
【００１１】
別の態様によれば、本発明の実施例は、前記掃除機用モータ装置を備える掃除機を提供する。
【発明の効果】
【００１２】
本発明の実施例の有益な効果は以下のとおりである。
本発明の実施例は、掃除機用モータ装置及び掃除機を提供し、前記掃除機用モータ装置は、モータユニットと付属ユニットを備え、前記モータユニットは、回転子、固定子及びスピンドルを備え、前記付属ユニットは、第１モータブラケット、第２モータブラケット、ブレード、ブレードブラケット、ＰＣＢＡユニット、第１軸受け及び第２軸受けを備え、前記回転子は、ネオジム−鉄−ホウ素で製造されるネオジム−鉄−ホウ素磁石であり、モータへ大きな出力パワーを付与することができ、モータの回転数が１００,０００回転／分以上に達することを可能にし、前記ブレードの外円周の直径が３５ｍｍ〜４０ｍｍであり、本発明の実施例では、ブレードの寸法が従来の掃除機のブレードのそれよりも大きく、それによって、掃除機の真空吸引力を大きくし、掃除効果をより良好にすることができる。
【図面の簡単な説明】
【００１３】
本発明の実施例における技術案をより明確に説明するために、以下は、本発明の実施例の説明に必要な図面を簡単に説明するが、もちろん、以下の説明の図面は、本発明のいくつかの実施例に過ぎず、当業者であれば、本発明の実施例の内容及びこれらの図面に基づいて、創造的な努力を必要とせずに他の図面を得ることができる。
【図１】本発明の実施例１の掃除機用モータ装置の斜視図である。
【図２】本発明の実施例１の掃除機用モータ装置の分解図である。
【図３】本発明の実施例１の掃除機用モータ装置の分解図である。
【図４】本発明の実施例１の掃除機用モータ装置の模式的断面図である。
【発明を実施するための形態】
【００１４】
本発明が解決しようとする技術的課題、採用する技術案、及び達成される技術的効果をより明確にするために、以下、添付の図面を参照しながら、本発明の実施例の技術案をさらに詳細に説明するが、もちろん、説明する実施例は、本発明の実施例の一部に過ぎず、すべての実施例ではない。本発明の実施例に基づいて、創造的な努力を必要とせずに当業者によって得られる他のすべての実施例は、本発明の特許範囲に含まれるものとする。
【００１５】
本発明の説明では、別途明確な規定や限定がない限り、用語「連結」、「接続」、「固定」は広義で理解すべきであり、たとえば、固定して接続されてもよく、取り外し可能に接続されてもよく、一体にしてもよい。機械的に接続されてもよく、電気的に接続されてもよい。直接連結してもよく、中間媒体を介して連結してもよく、２つの素子の内部が連通するか、２つの素子が相互作用するようにしてもよい。当業者であれば、具体的な状況に応じて上記用語の本発明での定義を理解することができる。
【００１６】
本発明において、別途明確な規定や限定がない限り、第１特徴が第２特徴の「上」又は「下」にある場合、第１及び第２特徴が互いに直接接触してもよく、第１及び第２特徴が直接接触するのではなく、それらの間のその他の特徴を介して接触してもよい。さらに、第１特徴が第２特徴の「上方」、「上」にある場合、第１特徴が第２特徴の真上及び斜め上にあること、又は第１特徴の水平面からの高さが第２特徴よりも高いことを意味する。第１特徴が第２特徴の「下」、「下方」にある場合、第１特徴が第２特徴の真下及び斜め下にあること、又は、第１特徴の水平面からの高さが第２特徴よりも小さいことを意味する。
【００１７】
本実施例の説明では、用語「上」、「下」、「左」、「右」などの方位又は位置関係は図面に示す方位又は位置関係に基づくものであり、説明の便利さ及び操作の簡素化のために過ぎず、かかる装置又は素子が必ず特定の方位を有したり、特定の方位で構造・操作されたりすることを指示又は示唆するものではなく、従って、本発明を制限するものとして理解できない。さらに、用語「第１」、「第２」は、区別して説明するために過ぎず、特別な意味はない。
【００１８】
実施例１
図１〜図４に示すように、本発明の実施例は、モータの回転数が１００,０００回転／分以上に達し、そして真空吸引力が大きい掃除機用モータ装置を提供する。
【００１９】
掃除機用モータ装置は、モータユニットと付属ユニットを備え、
前記モータユニットは、回転子５０４、固定子５０１及びスピンドル５０３を備え、
前記付属ユニットは、第１モータブラケット５、第２モータブラケット４、ブレード３０１、ブレードブラケット３、ＰＣＢＡユニット６、第１軸受け５０５及び第２軸受け５０６を備え、
前記固定子５０１は、４つのＵ字形上巻線ブラケット５０１Ａ、４つのＵ字形下巻線ブラケット５０１Ｃ及び４つのモータ電磁鋼板５０１Ｂを備え、前記Ｕ字形上巻線ブラケット５０１ＡのＵ字形ノッチと前記Ｕ字形下巻線ブラケット５０１ＣのＵ字形ノッチが対向して設けられ、前記モータ電磁鋼板５０１Ｂを前記Ｕ字形上巻線ブラケット５０１ＡとＵ字形下巻線ブラケット５０１Ｃとの間に固定し、前記Ｕ字形上巻線ブラケット５０１Ａ、Ｕ字形下巻線ブラケット５０１Ｃ及びモータ電磁鋼板５０１Ｂはボルトを介して前記第１モータブラケット５内に固定され、
具体的には、第１モータブラケット５は、円錐形の透かし彫り構造を示し、コイルが前記４つのＵ字形上巻線ブラケット５０１Ａと４つのＵ字形下巻線ブラケット５０１Ｃに巻き付けられ、前記４つのＵ字形上巻線ブラケット５０１Ａ、４つのＵ字形下巻線ブラケット５０１Ｃ及び４つのモータ電磁鋼板５０１Ｂは、円周状としてボルトを介して前記第１モータブラケット５内に固定される。
【００２０】
前記スピンドル５０３は、前記固定子５０１を貫通しており、上から下へ前記第１軸受け５０５、前記回転子５０４、前記第２軸受け５０６及びホール磁石５０７が順次設けられ、前記回転子５０４は、前記スピンドル５０３の中央部に設けられ、前記固定子５０１により囲まれており、前記第２軸受け５０６は第１モータブラケット５の下部に固定され、前記ホール磁石５０７は前記スピンドル５０３の下端に固定され、
具体的には、前記ホール磁石５０７は、ホールスイッチ６０５から送信される信号を受信し、モータの回転数を制御することに用いられ、前記ホール磁石５０７がホールスイッチ６０５の信号を受信し、モータ回転数を制御することは従来技術であるので、ここで詳しく説明しない。
【００２１】
前記回転子５０４は、ネオジム−鉄−ホウ素で製造されるネオジム−鉄−ホウ素磁石であり、モータへ大きな出力パワーを付与することができ、モータの回転数が１００,０００回転／分以上に達することを可能にし、
前記第１モータブラケット５の上方にはブレードブラケット３が設けられ、前記スピンドル５０３の上端は、前記ブレードブラケット３の中部を貫通しており、ブレード３０１を設けられ、前記第１軸受け５０５は前記ブレードブラケット３の中央よりも下部に固設され、
前記ブレード３０１の外円周の直径が３５ｍｍ〜４０ｍｍであり、
具体的には、前記ブレードブラケット３の中部には中空構造が設けられており、モータユニットのスピンドル５０３が回動すると、ブレード３０１が回動駆動されて真空吸引力を発生させ、前記ブレード３０１の外円周の直径を３５ｍｍ〜４０ｍｍにすることにより、大きな真空吸引力を供給することができ、前記ブレード３０１の外円周が３７ｍｍである場合、真空吸引力が最も好ましい。
【００２２】
前記第１モータブラケット５の下部には接続シート５０２がさらに設けられ、前記接続シート５０２は前記ＰＣＢＡユニット６に固定して接続され、それにより、前記固定子５０１のコイルの両極がＰＣＢＡユニット６に接続され、ＰＣＢＡユニット６によるモータの回転数の制御が可能になり、
前記ＰＣＢＡユニット６には係合部材（図示せず）が設けられ、前記第２モータブラケット４内には係合部位（図示せず）が設けられ、前記第２モータブラケット４と前記ＰＣＢＡユニット６は係合して接続され、前記第２モータブラケット４は、上から下まで前記第１モータブラケット５とＰＣＢＡユニット６を覆って、内部に固定し、前記第２モータブラケット４の側面には中空構造が設けられ、このように、空気が順調に流れ得る。
【００２３】
前記第１軸受け５０５と第２軸受け５０６の外円周には、第１軸受け減衰リング（図示せず）と第２軸受け減衰リング（図示せず）がそれぞれ設けられ、前記第１軸受け減衰リングと第２軸受け減衰リングは、第１軸受け５０５及び第２軸受け５０６のスリップを防止し、そして減衰の作用を有し、回転時の前記スピンドル５０３の安定性を高める。
【００２４】
前記ＰＣＢＡユニット６は、ＰＣＢＡ６０１、ＰＣＢＡブラケット６０２、ＰＣＢＡブラケットシールリング６０３、ＰＣＢＡ防振ワッシャー６０４、及びホールスイッチ６０５を備え、
前記ＰＣＢＡブラケット６０２には係合部材が設けられ、前記ＰＣＢＡブラケット６０２の円周外側には環状溝（図示せず）が設けられ、前記ＰＣＢＡブラケットシールリング６０３は前記環状溝に嵌設され、前記ＰＣＢＡブラケット６０２の下方にはＰＣＢＡ６０１が設けられ、前記ＰＣＢＡブラケット６０２と前記ＰＣＢＡ６０１との間には環状ＰＣＢＡ防振ワッシャー６０４が設けられ、前記ホールスイッチ６０５は前記ＰＣＢＡ６０１に設けられる。
【００２５】
具体的には、前記ＰＣＢＡユニット６は、ＰＣＢＡブラケット６０２に設けられた係合部材を介して第２モータブラケット４に係合して接続され、前記ＰＣＢＡブラケットシールリング６０３は、ＰＣＢＡユニット６と第２モータブラケット４ブラケットとの隙間をシールし、空気のリークを防止することができ、前記ＰＣＢＡ防振ワッシャーは、防振や安定化の作用を果たし、前記ＰＣＢＡ６０１にはホールブラケット（図示せず）がさらに設けられ、前記ホールスイッチ６０５は前記ホールブラケットを介して前記ＰＣＢＡ６０１に固定される。
【００２６】
前記モータ装置はモータダクト１とモータダクトヘッド２をさらに備え、
前記第２モータブラケット４は、ネジを介して前記モータダクトヘッド２上に固定され、
前記モータダクト１は、上から下まで前記ブレードブラケット３と第２モータブラケット４を覆い、ネジを介して前記モータダクトヘッド２に固定される。
【００２７】
具体的には、前記モータダクト１のトップには複数のインペラ（図示せず）が設けられ、前記インペラの間が中空構造とされており、前記モータダクトヘッド２のボトムには複数のインペラ（図示せず）が設けられ、前記インペラの間が中空構造とされており、空気は、モータによる真空吸引力の作用によって、モータダクトヘッド２のボトムにあるインペラの間の中空構造を通じて流入し、モータダクト１のトップにあるインペラの間の中空構造を通じて流出する。
【００２８】
ブレードブラケット３とモータダクト１との当接部位でのリークを防止するために、前記ブレードブラケット３の上部の円周外側には環状溝（図示せず）が設けられ、前記環状溝にはブレードブラケットシールリング３０２が嵌設されており、前記ブレードブラケットシールリング３０２は前記モータダクト１の上部の内壁に当接する。
【００２９】
第２モータブラケット４の底部でのリークを防止するために、前記第２モータブラケット４と前記モータダクトヘッド２との間には、第２モータブラケットシールリング４０１が設けられる。
【００３０】
モータダクトヘッド２のリークを防止するために、前記モータダクト１と前記モータダクトヘッド２との間には、モータダクトヘッドシールリング２０１が設けられる。
【００３１】
本発明の実施例は、掃除機用モータ装置を提供し、上記掃除機用モータ装置は、モータユニットと付属ユニットを備え、前記モータユニットは、回転子、固定子及びスピンドルを備え、前記付属ユニットは、第１モータブラケット、第２モータブラケット、ブレード、ブレードブラケット、ＰＣＢＡユニット、第１軸受け及び第２軸受けを備え、前記回転子はネオジム−鉄−ホウ素で製造されるネオジム−鉄−ホウ素磁石であり、モータへ大きな出力パワーを付与することができ、モータの回転数が１００,０００回転／分以上に達することを可能にし、前記ブレードの外円周の直径が３５ｍｍ〜４０ｍｍであり、本発明の実施例では、ブレードの寸法が従来の掃除機のブレードのそれよりも大きく、それによって、掃除機の真空吸引力を大きくし、掃除効果をより良好にすることができる。
【００３２】
実施例２
本発明の実施例は、実施例１の前記掃除機用モータ装置を備える掃除機を提供する。
【００３３】
本発明の実施例に係る掃除機は、モータの回転数が１００,０００回転／分以上に達し、より大きな真空吸引力を有し、使用するときに、吸塵効果が高まる。
【００３４】
なお、以上は本発明の好適な実施例及び使用される技術的原理に過ぎない。当業者が理解できるように、本発明は、ここでの特定の実施例に制限されず、当業者であれば、各種の明らかな変化、再調整や置換を本発明の特許範囲内で行うことができる。したがって、以上の実施例を通じて本発明を詳しく説明したが、本発明は、以上の実施例に制限されず、本発明の構想を逸脱することなく、ほかの多数の同等の実施例を含むことができ、本発明の範囲は添付の特許請求の範囲により定められる。
【符号の説明】
【００３５】
１、モータダクト
２、モータダクトヘッド
２０１、モータダクトヘッドシールリング
３、ブレードブラケット
３０１、ブレード
３０２、ブレードブラケットシールリング
４、第２モータブラケット
４０１、第２モータブラケットシールリング
５、第１モータブラケット
５０１、固定子
５０１Ａ、Ｕ字形上巻線ブラケット
５０１Ｂ、モータ電磁鋼板
５０１Ｃ、Ｕ字形下巻線ブラケット
５０２、接続シート
５０３、スピンドル
５０４、回転子
５０５、第１軸受け
５０６、第２軸受け
５０７、ホール磁石
６、ＰＣＢＡユニット
６０１、ＰＣＢＡ
６０２、ＰＣＢＡブラケット
６０３、ＰＣＢＡブラケットシールリング
６０４、ＰＣＢＡ防振ワッシャー
６０５、ホールスイッチ。
【図１】
2021521760.tif 000003
【図２】
2021521760.tif 000004
【図３】
2021521760.tif 000005
【図４】
2021521760.tif 000006
【国際調査報告】
2021521760.tif 000007
2021521760.tif 000008
2021521760.tif 000009
2021521760.tif 000010